(57)【要約】【課題】フライパン、鍋等、加熱調理器用蓋であって、口径の異なる複数の調理器の開口部に一つの蓋で容易に適用し得、さらに、従来のように蓋裏側に複数の環状突起を必要とせず、一本の環状突起で足りる。【解決手段】加熱調理器の蓋Ａであって、円形の蓋本体１と、この蓋本体１の表側に取りつけられた把手２とからなり、この蓋本体１裏側１ｂの周縁７内側には、周縁７に対して偏心して形成された一つの環状突起８を有し、手前側の蓋本体１周縁７と偏心環状突起８との間、および対向側の蓋本体１周縁７と偏心環状突起８との間にはそれぞれ、手前側隙間９および対向側隙間１０を形成し、手前側隙間９が対向側隙間１０よりも幅狭に形成されて構成される。【選択図】図２
2007330614.tif 000002
【特許請求の範囲】
【請求項１】
加熱調理器の蓋であって、円形の蓋本体と、蓋本体の表側に取りつけられた把手とからなり、蓋本体裏側の周縁内側には、周縁に対して偏心して形成された一つの環状突起を有し、かつ、手前側の蓋本体周縁と偏心環状突起との間、および対向側の蓋本体周縁と偏心環状突起との間にはそれぞれ手前側隙間および対向側隙間を有し、手前側隙間が対向側隙間よりも幅狭に形成されてなる調理器用蓋。
【請求項２】
加熱調理器の蓋であって、円形の蓋本体と、蓋本体の表側に取りつけられた把手とからなり、蓋本体裏側の周縁内側には、周縁に対して偏心して形成された一つの環状突起を有し、手前側の蓋本体周縁と偏心環状突起との間、および対向側の蓋本体周縁と偏心環状突起との間にはそれぞれ手前側隙間および対向側隙間を有し、手前側隙間が対向側隙間よりも幅狭に形成されてなり、前記把手は蓋本体表側に固定された基台にロック片を有する回転子を介して取りつけられ、ロック片先端のロック部が回転子のくぼみに収納されている時にはロック状態にあって、把手は起立して固定され、ロック片手元のレバーを押圧するとロック片先端のロック部が回転子のくぼみからはずれ、ロックが解除されて把手は横転可能となることを特徴とする調理器用蓋。
【請求項３】
請求項１または２において、手前側隙間が把手側に位置し、対向側隙間が把手側とは対向する側に位置する請求項１または２に記載の調理器用蓋。
【発明の詳細な説明】
【技術分野】
【０００１】
本発明はフライパン、鍋等、加熱調理器の蓋であって、調理の際、開口部に被せて使用する調理器用蓋に係り、特に口径の異なる複数の調理器の開口部に一つの蓋で容易に適用し得、しかも構造が簡単である調理器用蓋に関する。
【背景技術】
【０００２】
フライパン、鍋等、加熱用の調理器用の蓋として従来、一つの蓋で口径の異なる複数の調理器に適用し得る蓋が特開２００４−３１３６５４号公報に記載されている。
【０００３】
この公報によれば、この発明は蓋本体と把手とからなる加熱調理器用蓋であって、蓋本体裏側外周部の一点を通る複数の直径の異なる位置決め突起を設けて口径の異なる開口部を有する加熱調理容器に対して使用し、複数の環状軌跡（例えば、円軌跡Ｒ１、Ｒ２、Ｒ３）が通る一点Ｐ側においては開口部口縁との係止部位が半径方向に変動することがないようにしている。
【０００４】
この種の公知の加熱調理器用蓋では位置決め手段が蓋本体外周部の一点を通る複数の環状軌跡上に位置することとなっているため、複数の環状軌跡が通る一点側においては開口部口縁との係止部位が半径方向に変動することがなくなる。従って、加熱調理容器の形状等に左右されることなく、口径の異なる複数の加熱調理容器に対しても好適に適応できることとなる。
【０００５】
上述の公知の加熱調理器用蓋は蓋本体外周部の一点Ｐを通る複数の環状軌跡（円軌跡Ｒ１、Ｒ２、Ｒ３）を設け、これら円軌跡を加熱調理器の開口部口縁に係止する構造を有するものである。しかし、このような構造では、加熱調理器の開口部口縁を環状軌跡の一点Ｐに合致させなければならず、環状軌跡の一点Ｐに幅がないので一点Ｐと口縁との合致が容易でない。
【０００６】
さらに、上述公知の加熱調理器用蓋では蓋を加熱調理器に適用する際、蓋の裏側に設けられた口径の異なる環状軌跡の数だけしか適用できず、その他の口径の異なる加熱調理容器には適用できないという不便さを有している。
【特許文献１】特開２００４−３１３６５４号公報
【発明の開示】
【発明が解決しようとする課題】
【０００７】
そこで、本発明が解決しようとする課題は調理の際、フライパン、鍋等、加熱調理器の開口部に被せて使用する調理器用蓋であって、口径の異なる複数の調理器の開口部に一つの蓋で容易に適用し得、さらに、従来のように環状軌跡を複数必要とせず、一本の環状突起で足り、上述の公知技術に存する欠点を改良した加熱調理器用蓋を提供することにある。
【課題を解決するための手段】
【０００８】
上述の課題を解決するため、本発明によれば、加熱調理器の蓋であって、円形の蓋本体と、この蓋本体の表側に取りつけられた把手とからなり、この蓋本体裏側の周縁内側には、周縁に対して偏心して形成された一つの環状突起を有し、手前側の蓋本体周縁と偏心環状突起との間、および対向側の蓋本体周縁と偏心環状突起との間にはそれぞれ、手前側隙間および対向側隙間を形成し、手前側隙間が対向側隙間よりも幅狭に形成されてなることを特徴とする。
【０００９】
さらに、上述の課題を解決するため、本発明によれば、加熱調理器の蓋であって、円形の蓋本体と、蓋本体の表側に取りつけられた把手とからなり、蓋本体裏側の周縁内側には、周縁に対して偏心して形成された一つの環状突起を有し、手前側の蓋本体周縁と偏心環状突起との間、および対向側の蓋本体周縁と偏心環状突起との間にはそれぞれ手前側隙間および対向側隙間を有し、手前側隙間が対向側隙間よりも幅狭に形成されてなり、前記把手は蓋本体表側に固定された基台に、ロック片を有する回転子を介して取りつけられ、ロック片先端のロック部が回転子のくぼみに収納されている時にはロック状態にあって、把手は起立して固定され、ロック片の他端のレバーを押圧するとロック片先端のロック部が回転子のくぼみからはずれ、ロックが解除されて把手は横転可能となることを特徴とする。
【発明の効果】
【００１０】
本発明は円形の蓋本体と、蓋本体の表側に取りつけられた把手とからなる加熱調理器の蓋であって、蓋本体裏側の周縁内側には、周縁に対して偏心して形成された一つの環状突起を有し、手前側の蓋本体周縁と偏心環状突起との間、および対向側の蓋本体周縁と偏心環状突起との間にはそれぞれ手前側隙間および対向側隙間を有し、手前側隙間が対向側隙間よりも幅狭に形成され、手前側隙間に点ではなく、幅を有することから、調理器開口部の口縁を手前側の隙間に容易に係止し得、したがって調理器開口部への適用が容易であり、かつ、一本の環状突起で対向側隙間幅だけ各種口径の調理器に適用でき、すなわち、一本の環状突起のみで口径の異なる複数の調理器の開口部に適用でき、構造が簡易化される。
【発明を実施するための最良の形態】
【００１１】
以下、本発明を添付の図面を用いて詳述する。
【００１２】
図１は本発明の調理器用蓋の一具体例の平面図である。図２は図１の調理器用蓋の底面図である。図３は図１の調理器用蓋を調理器の開口部に被せた状態の断面図である。図４は図１の調理器用蓋の側面図である。図５は図４のＡ―Ａ線断面図である。図６は把手を横転したときの横断面図である。
【００１３】
図１に示されるように、本発明の調理器用蓋Ａ、特に加熱調理器用蓋Ａは蓋本体１と、この蓋本体１の表側１ａに取りつけられた把手２とから基本的に構成される。そして、把手２は蓋本体１の表側に固定された基台３に、後述のロック片４を有する回転子５を介して取りつけられる。図１中、６は掛け具である。
【００１４】
蓋本体１の裏側１ｂには図２に示されるように、周縁７に対して偏心して形成された一つの偏心環状突起８を有している。そして、手前側、すなわち、把手２側の蓋本体１の周縁７と偏心環状突起８との間には手前側隙間９を有し、かつ、対向側、すなわち、把手２側とは対向する側の蓋本体１の周縁７と偏心環状突起８との間には対向側隙間１０を有し、さらには手前側隙間９が対向側隙間１０よりも幅狭に形成される。なお、図２中、偏心環状突起８の内側は透明ガラス１１で形成されている。１２は基台３を固定するビスであり、１３は空気抜あなである。
【００１５】
上述のようにして構成される本発明にかかる蓋Ａは図３に示されるように、フライパン、鍋等の調理器１４の開口部１５に被せて適用される。すなわち、図３において、開口部１５の一方の口縁２０を手前側隙間９にはめ込み、他方の口縁２０を対向側隙間１０にはめ込んで開口部１５を蓋本体１で覆う。このとき、手前側隙間９は図示のように幅を有するため、口縁２０のはめ込みが容易であり、また対向側隙間１０は手前側隙間９よりも広い幅を有するため、一つの偏心環状突起８を有するのみで、対向側隙間１０の幅だけ各種幅の調理器１４に適用可能である。１６は調理器把手である。
【００１６】
図４は蓋本体１の側面図、図５は図４のＡ―Ａ線断面図である。図４および図５に示されるように、把手２は蓋本体１の表側１ａに固定された基台３に、ロック片４をピン２１によって回動自在に備えた回転子５を介して取りつけられる。
【００１７】
図５はロック片４先端のロック部１７が回転子５のくぼみ１９に収納されている時には把手２はロック状態にあって把手２は起立して固定されているところを示している。
【００１８】
ロック片４の手元のレバー１８を矢印方向に押圧すると、図６に示されるように、ロック片４はピン２１を中心にして回動し、ロック片４の先端のロック部１７は板バネ２２を押して下降する。板バネ２２の一端はボルト２３で固定されてバネを形成し、ロック部１７は板バネ２２の他端を押して下降する。このとき、ロック部１７は回転子５のくぼみ１９からはずれてロック状態が解除される。そして、把手２は図６に示されるように横転可能となり、収納の際に把手２がじゃまにならなくなる。蓋Ａを使用するときには把手２を回転して起き上げ、板バネ２２の弾発力によりロック部１７は押し上げられてくぼみ１９にはめ込まれ、把手２は再びロック状態で起立する。
【産業上の利用可能性】
【００１９】
本発明の加熱調理器用蓋は蓋本体裏側の周縁内側に、周縁に対して偏心して形成された一つの環状突起を設け、かつ手前側の蓋本体周縁と偏心環状突起との間、および対向側の蓋本体周縁と偏心環状突起との間にそれぞれ幅狭の手前側隙間および幅広の対向側隙間を設けたから、口径の異なる複数の調理器の開口部に一つの蓋で容易に適用し得、しかも構造が簡単であり、家庭用の調理器用蓋として利用可能性が高い。
【図面の簡単な説明】
【００２０】
【図１】本発明の調理器用蓋の一具体例の平面図である。
【図２】図１の調理器用蓋の底面図である。
【図３】図１の調理器用蓋を調理器の開口部に被せた状態の断面図である。
【図４】図１の調理器用蓋の側面図である。
【図５】図４のＡ―Ａ線断面図である。
【図６】把手を横転したときの横断面図である。
【符号の説明】
【００２１】
Ａ  蓋
１  蓋本体
１ａ  表側
１ｂ  裏側
２  把手
３  基台
４  ロック片
５  回転子
７  周縁
８  偏心環状突起
９  手前側隙間
１０  対向側隙間
１４  調理器
１５  開口部
１７  ロック部
１８  レバー
１９  くぼみ
２０  口縁
２１  ピン
２２  板バネ
２３  ボルト
【図１】
2007330614.tif 000003
【図２】
2007330614.tif 000004
【図３】
2007330614.tif 000005
【図４】
2007330614.tif 000006
【図５】
2007330614.tif 000007
【図６】
2007330614.tif 000008